(57)【要約】【課題】使い勝手が良いランプ駆動装置を提供する。【解決手段】この液晶テレビでは、蛍光ランプ５に印加される交流電圧ＶＡＣに応じたレベルの直流電圧ＶＳＥＮがノイズによってパルス的に「Ｌ」レベルになり、制御ＩＣ３が誤動作した場合、リセット回路７によってリセット信号ＲＥＳをパルス的に「Ｌ」レベルに立ち下げ、メインＩＣ１をリセットする。したがって、視聴者は再度電源スイッチをオンする必要はないので、使い勝手が良い。【選択図】図１
2010172091.tif 000002
【特許請求の範囲】
【請求項１】
蛍光ランプを駆動するランプ駆動装置であって、
制御信号に従って前記蛍光ランプに交流電圧を供給するインバータと、
前記交流電圧に応じたレベルの直流電圧を発生する電圧発生回路と、
前記蛍光ランプの点灯が指示されたことに応じて前記制御信号を前記インバータに出力し、前記直流電圧が予め定められた電圧を越えた場合に前記制御信号の出力を停止し、リセット信号に応答して前記制御信号の出力を再開する制御回路とを備え、
前記制御回路は、前記直流電圧がノイズによってパルス的に低下した場合も前記制御信号の出力を停止し、
さらに、前記直流電圧がパルス的に低下したことに応じて前記リセット信号を前記制御回路に出力するリセット回路を備える、ランプ駆動装置。
【請求項２】
さらに、電源オン信号に応答して前記インバータに電源電圧を供給し、電源オフ信号に応答して前記電源電圧の供給を停止する電源回路を備え、
前記制御回路は、
前記蛍光ランプの点灯が指示されたことに応じて点灯指示信号を活性化レベルにするとともに前記電源オン信号を前記電源回路に出力し、プロテクト信号に応答して前記点灯指示信号を非活性化レベルにするとともに前記電源オフ信号を前記電源回路に出力し、前記リセット信号に応答して前記点灯指示信号を活性化レベルにするとともに前記電源オン信号を前記電源回路に出力するメインＩＣと、
前記点灯指示信号が活性化レベルである場合に前記制御信号を前記インバータに出力し、前記直流電圧が前記予め定められた電圧を越えた場合に前記制御信号の出力を停止するとともに前記プロテクト信号を前記メインＩＣに出力する制御ＩＣとを含み、
前記制御ＩＣは、前記直流電圧がノイズによってパルス的に低下した場合も前記制御信号の出力を停止するとともに前記プロテクト信号を出力し、
前記リセット回路は、前記点灯指示信号が活性化レベルであり、かつ前記直流電圧がパルス的に低下した場合に前記リセット信号を出力する、請求項１に記載のランプ駆動装置。
【請求項３】
前記リセット回路は、前記点灯指示信号が活性化レベルである場合に活性化され、前記直流電圧がしきい値電圧よりも高い場合に第１の論理レベルを出力し、前記直流電圧が前記しきい値電圧よりも低い場合に第２の論理レベルを出力する論理回路を含み、
前記リセット信号は、前記第１の論理レベルから前記第２の論理レベルにパルス的に変化する信号である、請求項２に記載のランプ駆動装置。
【請求項４】
前記蛍光ランプは液晶表示装置のバックライトである、請求項１から請求項３までのいずれかに記載のランプ駆動装置。
【発明の詳細な説明】
【技術分野】
【０００１】
この発明はランプ駆動装置に関し、特に、蛍光ランプを駆動するランプ駆動装置に関する。
【背景技術】
【０００２】
従来より、液晶表示装置には、透過型の液晶パネルと、その液晶パネルに透過光を与える冷陰極蛍光ランプ（バックライト）と、その蛍光ランプに交流電圧を供給するインバータと、インバータで生成された交流電圧に応じたレベルの直流電圧を発生する電圧発生回路と、インバータを制御する制御回路とが設けられている。制御回路は、電圧発生回路で生成された直流電圧が所定の電圧を越えた場合は、蛍光ランプが破損していると判断し、インバータの制御を停止する（たとえば、特許文献１参照）。
【先行技術文献】
【特許文献】
【０００３】
【特許文献１】特開２００６−２０４０９６号公報
【発明の概要】
【発明が解決しようとする課題】
【０００４】
しかし、従来の液晶表示装置では、電圧発生回路で生成された直流電圧がノイズなどによってパルス的に低下した場合に制御回路が誤動作し、蛍光ランプが正常であるのにインバータの制御が停止されるという問題があった。蛍光ランプが正常であるのにインバータの制御が停止されると、その度に視聴者は電源スイッチを押し直す必要があり、使い勝手が悪かった。
【０００５】
それゆえに、この発明の主たる目的は、使い勝手が良いランプ駆動装置を提供することである。
【課題を解決するための手段】
【０００６】
この発明に係るランプ駆動装置は、蛍光ランプを駆動するランプ駆動装置であって、制御信号に従って蛍光ランプに交流電圧を供給するインバータと、交流電圧に応じたレベルの直流電圧を発生する電圧発生回路と、蛍光ランプの点灯が指示されたことに応じて制御信号をインバータに出力し、直流電圧が予め定められた電圧を越えた場合に制御信号の出力を停止し、リセット信号に応答して制御信号の出力を再開する制御回路とを備えたものである。ここで、制御回路は、直流電圧がノイズによってパルス的に低下した場合も制御信号の出力を停止する。このランプ駆動装置は、さらに、直流電圧がパルス的に低下したことに応じてリセット信号を制御回路に出力するリセット回路を備える。
【０００７】
好ましくは、さらに、電源オン信号に応答してインバータに電源電圧を供給し、電源オフ信号に応答して電源電圧の供給を停止する電源回路を備える。制御回路は、蛍光ランプの点灯が指示されたことに応じて点灯指示信号を活性化レベルにするとともに電源オン信号を電源回路に出力し、プロテクト信号に応答して点灯指示信号を非活性化レベルにするとともに電源オフ信号を電源回路に出力し、リセット信号に応答して点灯指示信号を活性化レベルにするとともに電源オン信号を電源回路に出力するメインＩＣと、点灯指示信号が活性化レベルである場合に制御信号をインバータに出力し、直流電圧が予め定められた電圧を越えた場合に制御信号の出力を停止するとともにプロテクト信号をメインＩＣに出力する制御ＩＣとを含む。制御ＩＣは、直流電圧がノイズによってパルス的に低下した場合も制御信号の出力を停止するとともにプロテクト信号を出力する。リセット回路は、点灯指示信号が活性化レベルであり、かつ直流電圧がパルス的に低下した場合にリセット信号を出力する。
【０００８】
好ましくは、リセット回路は、点灯指示信号が活性化レベルである場合に活性化され、直流電圧がしきい値電圧よりも高い場合に第１の論理レベルを出力し、直流電圧がしきい値電圧よりも低い場合に第２の論理レベルを出力する論理回路を含む。リセット信号は、第１の論理レベルから第２の論理レベルにパルス的に変化する信号である。
【０００９】
また好ましくは、蛍光ランプは液晶表示装置のバックライトである。
【発明の効果】
【００１０】
この発明に係るランプ駆動装置では、ノイズによって直流電圧がパルス的に低下した場合は、リセット回路からリセット信号が出力されて制御回路がリセットされ、インバータの制御が再開される。したがって、ノイズによって制御回路が誤動作した場合でも、電源スイッチを押し直す必要がないので、使い勝手が良い。
【図面の簡単な説明】
【００１１】
【図１】この発明の一実施の形態による液晶テレビのバックライトに関連する部分の構成を示すブロック図である。
【図２】図１に示したリセット回路の構成を示す回路図である。
【発明を実施するための形態】
【００１２】
図１は、この発明の一実施の形態による液晶テレビのバックライトに関連する部分の構成を示すブロック図である。図１において、この液晶テレビは、メインＩＣ１、電源回路２、制御ＩＣ３、インバータ４、冷陰極蛍光ランプ（バックライト）５、直流電圧発生回路６、およびリセット回路７を備える。
【００１３】
視聴者によって液晶テレビ本体またはリモコンの電源スイッチが押されると、制御信号φ１がパルス的に選択レベルの「Ｈ」レベルに立ち上げられる。メインＩＣ１は、制御信号φ１の立ち上がりエッジに応答して、点灯指示信号ＢＬＯＮを活性化レベルの「Ｈ」レベルに立ち上げるとともに、電源制御信号φ２を活性化レベルの「Ｈ」レベルに立ち上げる。点灯指示信号ＢＬＯＮが「Ｈ」レベルである期間に電源スイッチが押されて制御信号φ１がパルス的に「Ｈ」レベルに立ち上げられると、メインＩＣ１は、点灯指示信号ＢＬＯＮを非活性化レベルの「Ｌ」レベルに立ち下げるとともに、電源制御信号φ２を非活性化レベルの「Ｌ」レベルに立ち下げる。
【００１４】
また、メインＩＣ１は、プロテクト信号ＰＲＯが活性化レベルの「Ｈ」レベルに立ち上げられたことに応じて、点灯指示信号ＢＬＯＮを非活性化レベルの「Ｌ」レベルに立ち下げるとともに、電源制御信号φ２を非活性化レベルの「Ｌ」レベルに立ち下げる。また、メインＩＣ１は、リセット信号ＲＥＳがパルス的に「Ｌ」レベルに立ち下げられたことに応じて、点灯指示信号を活性化レベルの「Ｈ」レベルに立ち上げるとともに、電源制御信号φ２を活性化レベルの「Ｈ」レベルに立ち上げる。
【００１５】
電源回路２は、電源制御信号φ２が活性化レベルの「Ｈ」レベルである場合に活性化されてインバータ４に直流電源電圧ＶＤＣを供給し、電源制御信号φ２が非活性化レベルの「Ｌ」レベルである場合に非活性化されてインバータ４への直流電源電圧ＶＤＣを供給を停止する。
【００１６】
制御ＩＣ３は、点灯指示信号ＢＬＯＮが活性化レベルの「Ｈ」レベルである場合は制御信号ＣＮＴをインバータ４に出力し、点灯指示信号ＢＬＯＮが非活性化レベルの「Ｌ」レベルである場合は制御信号ＣＮＴのインバータ４への出力を停止する。また、制御ＩＣ３は、直流電圧発生回路６で生成された直流電圧ＶＳＥＮが予め定められた上限電圧ＶＨを越えた場合は、インバータ４への制御信号ＣＮＴの出力を停止するとともに、プロテクト信号ＰＲＯを活性化レベルの「Ｈ」レベルに立ち上げる。この制御ＩＣ３は、直流電圧ＶＳＥＮがノイズによってパルス的に低下した場合に誤動作し、直流電圧ＶＳＥＮが上限電圧ＶＨを越えた場合と同様に、制御信号ＣＮＴの出力を停止するとともにプロテクト信号ＰＲＯを活性化レベルの「Ｈ」レベルに立ち上げてしまう。
【００１７】
インバータ４は、制御ＩＣ３から与えられる制御信号ＣＮＴに従って、電源回路２から供給される直流電源電圧ＶＤＣを交流電圧ＶＡＣに変換する。蛍光ランプ５は、インバータ４からの交流電圧ＶＡＣによって駆動され、液晶パネル（図示せず）に透過光を与える。
【００１８】
直流電圧発生回路６は、インバータ４で生成された交流電圧ＶＡＣを整流し、交流電圧ＶＡＣに応じたレベルの直流電圧ＶＳＥＮを出力する。蛍光ランプ５が正常に発光した場合は、交流電圧ＶＡＣは比較的低い電圧になり、直流電圧ＶＳＥＮは上限電圧ＶＨよりも低い電圧になる。蛍光ランプ５の破損などによって蛍光ランプ５が発光しない場合は、交流電圧ＶＡＣは比較的高い電圧になり、直流電圧ＶＳＥＮは上限電圧ＶＨよりも高い電圧になる。リセット回路７は、点灯指示信号ＢＬＯＮが活性化レベルの「Ｈ」レベルであり、かつ直流電圧ＶＳＥＮがパルス的に低下した場合は、リセット信号ＲＥＳをパルス的に「Ｌ」レベルに立ち下げる。
【００１９】
次に、この液晶テレビの動作について説明する。視聴者によって電源スイッチがオンされると、制御信号φ１がパルス的に「Ｈ」レベルに立ち上げられる。これに応じて、メインＩＣ１によって電源制御信号φ２が活性化レベルの「Ｈ」レベルに立ち上げられ、電源回路２からインバータ４に直流電源電圧ＶＤＣが供給される。また、メインＩＣ１によって点灯指示信号ＢＬＯＮが活性化レベルの「Ｈ」レベルに立ち上げられ、制御ＩＣ３からインバータ４に制御信号ＣＮＴが供給される。インバータ４は、制御信号ＣＮＴに従って直流電源電圧ＶＡＣを交流電圧ＶＡＣに変換し、その交流電圧ＶＡＣを蛍光ランプ５に印加する。これにより、蛍光ランプ５が点灯し、蛍光ランプ５から液晶パネルに透過光が与えられ、液晶テレビの画面に映像が表示される。
【００２０】
また、直流電圧発生回路６によって交流電圧ＶＡＣに応じたレベルの直流電圧ＶＳＥＮが生成される。蛍光ランプ５が正常に点灯している場合は、直流電圧ＶＳＥＮは上限電圧ＶＨよりも低い電圧に維持される。この場合は、制御ＩＣ３は制御信号ＣＮＴのインバータ４への供給を継続し、リセット回路７はリセット信号ＲＥＳを「Ｈ」レベルに維持する。
【００２１】
視聴者によって電源スイッチが再度オンされると、制御信号φ１がパルス的に「Ｈ」レベルに立ち上げられる。これに応じて、メインＩＣ１によって電源制御信号φ２が非活性化レベルの「Ｌ」レベルに立ち下げられ、電源回路２からインバータ４への直流電源電圧ＶＤＣの供給が停止される。また、メインＩＣ１によって点灯指示信号ＢＬＯＮが非活性化レベルの「Ｌ」レベルに立ち下げられ、制御ＩＣ３からインバータ４への制御信号ＣＮＴの供給が停止される。これにより、インバータ４における交流電圧ＶＡＣの生成が停止され、蛍光ランプ５が消灯する。
【００２２】
また、蛍光ランプ５が破損した場合は、インバータ４で生成される交流電圧ＶＡＣが大きくなって直流電圧ＶＳＥＮが上昇し、上限電圧ＶＨよりも高くなる。この場合は、制御ＩＣ３からインバータ４への制御信号ＣＮＴの出力が停止され、インバータ４における交流電圧ＶＡＣの生成が停止される。また、制御ＩＣ３によってプロテクト信号ＰＲＯが活性化レベルの「Ｈ」レベルに立ち上げられ、メインＩＣ１によって電源制御信号φ２が非活性化レベルの「Ｌ」レベルに立ち下げられ、電源回路２からインバータ４への直流電源電圧ＶＤＣの供給が停止される。また、メインＩＣ１によって点灯指示信号ＢＬＯＮが非活性化レベルの「Ｌ」レベルに立ち下げられる。インバータ４における交流電圧ＶＡＣの生成が停止されると、直流電圧ＶＳＥＮが低下し、制御ＩＣ３によってプロテクト信号ＰＲＯが非活性化レベルの「Ｌ」レベルに立ち下げられる。
【００２３】
また、液晶テレビの視聴中において、ノイズによって直流電圧ＶＳＥＮがパルス的に「Ｌ」レベルに低下した場合は、制御ＩＣ３が誤動作し、直流電圧ＶＳＥＮが上限電圧ＶＨを越えた場合と同様に、制御ＩＣ３からインバータ４への制御信号ＣＮＴの出力が停止され、インバータ４における交流電圧ＶＡＣの生成が停止される。また、制御ＩＣ３によってプロテクト信号ＰＲＯが活性化レベルの「Ｈ」レベルに立ち上げられ、メインＩＣ１によって電源制御信号φ２が非活性化レベルの「Ｌ」レベルに立ち下げられ、電源回路２からインバータ４への直流電源電圧ＶＤＣの供給が停止される。また、メインＩＣ１によって点灯指示信号ＢＬＯＮが非活性化レベルの「Ｌ」レベルに立ち下げられる。また、直流電圧ＶＳＥＮがノイズ発生前のレベルに戻り、制御ＩＣ３によってプロテクト信号ＰＲＯが非活性化レベルの「Ｌ」レベルに立ち下げられる。
【００２４】
プロテクト信号ＰＲＯがパルス的に「Ｈ」レベルに立ち上げられたことに遅延して、リセット回路７によってリセット信号ＲＥＳがパルス的に「Ｌ」レベルに立ち下げられる。これによってメインＩＣ１がリセットされ、メインＩＣ１は、視聴者によって電源スイッチがオンされたときと同様に動作する。すなわち、メインＩＣ１によって電源制御信号φ２が活性化レベルの「Ｈ」レベルに立ち上げられ、電源回路２からインバータ４に直流電源電圧ＶＤＣが供給される。また、メインＩＣ１によって点灯指示信号ＢＬＯＮが活性化レベルの「Ｈ」レベルに立ち上げられ、制御ＩＣ３からインバータ４に制御信号ＣＮＴが供給される。インバータ４は、制御信号ＣＮＴに従って直流電源電圧ＶＡＣを交流電圧ＶＡＣに変換し、その交流電圧ＶＡＣを蛍光ランプ５に印加する。これにより、蛍光ランプ５が点灯し、蛍光ランプ５から液晶パネルに透過光が与えられ、液晶テレビの画面に映像が表示される。
【００２５】
図２は、リセット回路７の構成を示す回路図である。図２において、リセット回路７は、ダイオード１０，１６，１７、抵抗素子１１，１３，１８，１９，２３、コンデンサ１２、ＰＮＰバイポーラトランジスタ１４，２０、およびＮＰＮバイポーラトランジスタ１５，２１，２２を含む。たとえば、抵抗素子１１，１３，１８，１９，２３の抵抗値はそれぞれ１０ｋΩ、２２ｋΩ、２２ｋΩ、１００Ω、３．３ｋΩであり、コンデンサ１２の容量値は４７μＦである。
【００２６】
点灯指示信号ＢＬＯＮは入力ノードＮ１に与えられ、直流電圧ＶＳＥＮは入力ノードＮ２に与えられる。抵抗素子１３およびトランジスタ１４，１５は、電源電圧ＶＣＣのラインと接地電圧ＧＮＤのラインとの間に直列接続される。トランジスタ１４，１５のベースは互いに接続される。ダイオード１０および抵抗素子１１は、入力ノードＮ１とトランジスタ１４，１５のベースとの間に直列接続される。コンデンサ１２は、トランジスタ１５のベース−エミッタ間に接続される。
【００２７】
抵抗素子１９およびトランジスタ２０，２１は、入力ノードＮ１と接地電圧ＧＮＤのラインとの間に直列接続される。トランジスタ２０，２１のベースは互いに接続される。ダイオード１６は、入力ノードＮ１とトランジスタ１４，１５のベースとの間に接続される。ダイオード１７は、トランジスタ１４，１５のコレクタとトランジスタ２０，２１のベースとの間に接続される。抵抗素子１８は、トランジスタ２１のベース−エミッタ間に接続される。トランジスタ２２のベースはトランジスタ２０，２１のコレクタに接続され、そのコレクタは出力ノードＮ３に接続され、そのエミッタは接地される。抵抗素子２３は、電源電圧ＶＣＣのラインと出力ノードＮ３との間に接続される。出力ノードＮ３に現れる信号がリセット信号ＲＥＳとなる。
【００２８】
次に、このリセット回路７の動作について説明する。初期状態では、点灯指示信号ＢＬＯＮは非活性化レベルの「Ｌ」レベル（接地電圧ＧＮＤ）にされ、直流電圧ＶＳＥＮは「Ｌ」レベルになっている。このとき、コンデンサ１２の端子電圧Ｖ１２は「Ｌ」レベルとなり、トランジスタ１５のコレクタ電圧Ｖ１５は「Ｈ」レベルとなり、ダイオード１７のカソード電圧Ｖ１７は「Ｈ」レベルとなり、トランジスタ２１のコレクタ電圧Ｖ２１は「Ｌ」レベルとなり、リセット信号ＲＥＳは「Ｈ」レベルになっている。
【００２９】
起動時は、点灯指示信号ＢＬＯＮが活性化レベルの「Ｈ」レベル（電源電圧ＶＣＣ）に立ち上げられ、その所定時間経過後に直流電圧ＶＳＥＮが「Ｈ」レベルに立ち上げられる。点灯指示信号ＢＬＯＮが「Ｈ」レベルに立ち上げられると、ノードＮ１からダイオード１０および抵抗素子１１を介してコンデンサ１２に電流が流入し、コンデンサ１２の端子電圧Ｖ１２が徐々に上昇する。電圧Ｖ１２がトランジスタ１５のしきい値電圧を越えるまでは、電圧Ｖ１５は「Ｈ」レベルに維持され、リセット信号ＲＥＳは「Ｈ」レベルに維持される。
【００３０】
電圧Ｖ１２がトランジスタ１５のしきい値電圧を越えると、トランジスタ１４が非導通になるとともにトランジスタ１５が導通し、電圧Ｖ１５が「Ｌ」レベルに立ち下げられる。点灯指示信号ＢＬＯＮが「Ｈ」レベルに立ち上げられてから電圧Ｖ１２がトランジスタ１５のしきい値電圧を越えるまでの時間と、点灯指示信号ＢＬＯＮが「Ｈ」レベルに立ち上げられてから直流電圧ＶＳＥＮが「Ｈ」レベルになるまでの時間とは、略同一に設定されている。したがって、電圧Ｖ１５が「Ｌ」レベルに立ち下げられる代わりに直流電圧ＶＳＥＮが「Ｈ」レベルに立ち上げられ、電圧Ｖ２１は「Ｌ」レベルに維持され、リセット信号ＲＥＳは「Ｈ」レベルに維持される。
【００３１】
蛍光ランプ５が正常に点灯している場合は、点灯指示信号ＢＬＯＮ、直流電圧ＶＳＥＮ、およびリセット信号ＲＥＳはともに「Ｈ」レベルに維持される。蛍光ランプ５が破損した場合も、点灯指示信号ＢＬＯＮ、直流電圧ＶＳＥＮ、およびリセット信号ＲＥＳはともに「Ｈ」レベルに維持される。
【００３２】
点灯指示信号ＢＬＯＮが「Ｈ」レベルである期間においてノイズによって直流電圧ＶＳＥＮが「Ｌ」レベルにされた場合は、電圧Ｖ１７が「Ｌ」レベルになり、電圧Ｖ２１が「Ｈ」レベルになり、リセット信号ＲＥＳが「Ｌ」レベルに立ち下げられる。直流電圧ＶＳＥＮが「Ｈ」レベルに戻ると、電圧Ｖ１７が「Ｈ」レベルになり、電圧Ｖ２１が「Ｌ」レベルになり、リセット信号ＲＥＳが「Ｈ」レベルに戻る。したがって、点灯指示信号ＢＬＯＮが「Ｈ」レベルである期間においてノイズによって直流電圧ＶＳＥＮがパルス的に「Ｌ」レベルに立ち下げられると、リセット信号ＲＥＳがパルス的に「Ｌ」レベルに立ち下げられる。
【００３３】
液晶テレビの視聴が終了した場合は、点灯指示信号ＢＬＯＮと直流電圧ＶＳＥＮがともに「Ｌ」レベルになり、リセット信号ＲＥＳは「Ｈ」レベルに維持される。
【００３４】
この実施の形態では、ノイズによって直流電圧ＶＳＥＮがパルス的に「Ｌ」レベルに立ち下げられ、制御ＩＣ３が誤動作した場合でも、リセット回路７によってメインＩＣ１がリセットされ、自動的に再起動される。したがって、視聴者は再度電源スイッチをオンする必要はないので、使い勝手が良い。
【００３５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３６】
１  メインＩＣ、２  電源回路、３  制御ＩＣ、４  インバータ、５  冷陰極蛍光ランプ、６  直流電圧発生回路、７  リセット回路、１０，１６，１７  ダイオード、１１，１３，１８，１９，２３  抵抗素子、１２  コンデンサ、１４，２０  ＰＮＰバイポーラトランジスタ、１５，２１，２２  ＮＰＮバイポーラトランジスタ。
【図１】
2010172091.tif 000003
【図２】
2010172091.tif 000004